(57)【特許請求の範囲】
【請求項１】
すくい面と逃げ面との交差稜で形成される主切れ刃（５）と、その主切れ刃（５）に対して所定の角度をもって連なる仕上げ加工用の副切れ刃（６）を有し、前記副切れ刃（６）が逃げ面と直交する方向から見た状態で凸形に彎曲している多角形を基本形としたフライス加工用の刃先交換式切削インサートであって、
前記副切れ刃（６）の両側に、副切れ刃（６）につながる側が副切れ刃と同じ方向に彎曲したコーナ切れ刃（７，８）を備え、そのコーナ切れ刃を介して前記副切れ刃（６）が前記主切れ刃（５）に連なり、
さらに、前記副切れ刃（６）は半径Ｒの円弧の稜線で形成され、前記コーナ切れ刃（７，８）は、前記副切れ刃（６）につながる側がＲ≦Ｒ１の条件を満たす半径Ｒ１の円弧の稜線で、前記主切れ刃（５）につながる側は直線又は半径Ｒ１の稜線よりも曲率の小さな曲線の稜線で各々形成されたフライス加工用刃先交換式切削インサート。
【請求項２】
前記すくい面が上面（２）と下面（３）に設けられ、前記上面（２）と下面（３）の中央部にそれぞれカッタボディ側の支持座（２２）で支える平坦な着座面（１１）が設置され、その着座面（１１）が前記主、副の各切れ刃（５，６）よりも低い位置にあり、なおかつ、その着座面（１１）のインサートコーナ間中央部に、着座面（１１）を横断する凹部（１３）が設けられた請求項１に記載のフライス加工用刃先交換式切削インサート。
【請求項３】
前記上下面（２，３）に切れ刃に沿ってブレーカ溝（１４）が形成され、そのブレーカ溝（１４）が前記凹部（１３）の一部を構成している請求項２に記載のフライス加工用刃先交換式切削インサート。
【発明の詳細な説明】
【技術分野】
【０００１】
この発明は、フライス加工用の刃先交換式切削インサート（以下では単に切削インサートと言う）、詳しくは、サラエ刃として使用する副切れ刃を有し、その副切れ刃による加工面の仕上げ面粗さを向上させる工夫を施した切削インサートに関する。
【背景技術】
【０００２】
首記の副切れ刃を備えたフライス加工用切削インサートとして、例えば、下記特許文献１，２に開示されたものがある。【０００３】
特許文献１に記載された切削インサート（切削チップ）は、主切れ刃とこれに移行区分を介して連なる副切れ刃を有し、副切れ刃が逃げ面と直交する方向から見た側面視において凸状に彎曲した刃として構成されている。【０００４】
また、特許文献２に記載された切削インサートは、上面と平行な基準平面に対して傾いた凸形状の副刃（副切れ刃）を具備している。その副刃の両側にはコーナ遷移部分（いわゆるノーズＲ部）が存在する。片方のコーナ遷移部分（これをイ部とする）は、副刃と高さの最も高い非切粉除去用刃とをつなぎ、他方のコーナ遷移部分（これをロ部とする）は、副刃と高さの低い主刃とをつないでいる。【０００５】
その構造上、他方のコーナ遷移部分（ロ部）は、側面視形状が凸になる刃にして副刃と主刃との間を滑らかにつなぐことができているが、片方のコーナ遷移部分（イ部）は、非切粉除去用刃との高低差を吸収する必要上凸形状を維持できず、非切粉除去用刃と副刃との間に段差が生じたものになっている。
【先行技術文献】
【特許文献】
【０００６】
【特許文献１】特許第３９７０９２９号公報
【特許文献２】特開２００９−２７４２０７号公報
【発明の概要】
【発明が解決しようとする課題】
【０００７】
特許文献１の切削インサートは、副切れ刃のみが側面視で凸状に彎曲し、その副切れ刃の両端が両側の移行区分に対して角度をもって連なっている。そのために、副切れ刃と主切れ刃をつなぐ移行区分が大きいときには特に、副切れ刃によって仕上げ加工された加工面のつなぎ目（いわゆる送りマーク）が大きくなって良好な面粗さが得られない。【０００８】
図１３（ａ）に、特許文献１の切削インサートの副切れ刃によって加工される面を誇張して示す。凸円弧の副切れ刃で仕上げ加工される面は、切れ刃の軌跡が頂点の尖った規則的な波を描くのが理想とされるが、特許文献１の切削インサートを使用すると、図に示すように、副切れ刃の両端の移行区分の刃の軌跡が加工面のつなぎ目となるため、尖りのない波の頂点ができて加工面のつなぎ目が大きくなってしまう。【０００９】
また、刃先交換式のフライスカッタの場合、カッタボディに切削インサートを取付けるときに取付け誤差が生じることがある。その取付け誤差が生じた状態で加工される面を図１３（ｂ）に誇張して示す。これは、フェース角Ｆ．Ａが誤差ゼロの正常取付け位置から−側（図１５の時計回り方向）に狂った状態で加工された面である。このように、特許文献１の切削インサートは、フェース角Ｆ．Ａが＋側（図１５の反時計回り方向）、−側のどちらに振れても、送りマークがいびつな形状になって加工面の面粗さがさらに悪化する。【００１０】
図１４（ａ）、（ｂ）に、特許文献２の切削インサートの副刃によって加工される面の性状を誇張して示す。この特許文献２の切削インサートは、カッタボディに対する取付けが正常であれば、図１４（ａ）に示すように、加工面のつなぎ目が小さく抑えられるが、カッタボディや切削インサートの加工誤差によって特許文献１のインサートの副切れ刃と移行区分がつながった部分と同様の状況になっているイ部が副刃の突端に近づく方向（フェース角Ｆ．Ａが−となる側）に切削インサートが傾いて装着されたときには、図１４（ｂ）に示すように、加工面のつなぎ目が大きくなって面粗さが悪化する。【００１１】
なお、特許文献１，２の切削インサートは、加工時の送りを小さくすれば移行区分（遷移部分）の形状の影響をなくすことができるが、この方法は加工能率を低下させるため好ましくない。【００１２】
この発明は、仕上げ加工用の副切れ刃を有するフライス加工用の切削インサートを、カッタボディに対して正常に取付けられているときは勿論、取付け誤差が生じたときにも送りを小さくすることなく、良好な面粗さが得られるものにすることを課題としている。
【課題を解決するための手段】
【００１３】
上記の課題を解決するため、この発明においては、すくい面と逃げ面との交差稜で形成される主切れ刃と、その主切れ刃に対して所定の角度をもって連なる仕上げ加工用の副切れ刃を有し、前記副切れ刃が逃げ面と直交する方向から見た状態で凸形に彎曲している多角形を基本形としたフライス加工用の刃先交換式切削インサートの副切れ刃の両側に、副切れ刃につながる側が副切れ刃と同じ方向に彎曲したコーナ切れ刃を設け、そのコーナ切れ刃を介して前記副切れ刃を前記主切れ刃に連ならせた。【００１４】
かかる切削インサートは、コーナ切れ刃の副切れ刃につながる側を、副切れ刃と同一曲率で副切れ刃の延長上にある刃となしたものも考えられるが、当該部は、逃げ面が２つ以上の面で構成される刃にするのがよい。【００１５】
好ましい形態の具体例として、前記副切れ刃が半径Ｒの円弧の稜線で形成され、前記コーナ切れ刃は、前記副切れ刃につながる側がＲ≦Ｒ１の条件を満たす半径Ｒ１の円弧の稜線で、前記主切れ刃につながる側は直線又は半径Ｒ１の稜線よりも曲率の小さな曲線（円弧である必要はない）の稜線で各々形成されたものが考えられる。【００１６】
また、すくい面が上面と下面に設けられる切削インサートについては、上面と下面の中央部にそれぞれカッタボディ側の支持座で支える平坦な着座面が設置され、その着座面が前記主、副の各切れ刃よりも低い位置にあり、なおかつ、その着座面のインサートコーナ間中央部に、着座面を横断する凹部がさらに設けられた構造にするのも好ましい。【００１７】
ここで言うインサートコーナは、基本形のインサートのコーナを指す。また、この発明で言う着座面は、切れ刃よりも低い位置に形成された平面が支持座に接触する領域を指す。前記平面が支持座よりも広い場合には、前記凹部を支持座に接触する領域のみを横断するように設けることがあり、このときには、支持座と接触する領域よりも外側にある平面が凹部の両側の着座面に連なった状態で残される。【００１８】
前記凹部の深さは０．２ｍｍ〜１．５ｍｍ程度がよい。また、その凹部の切れ刃に沿う方向の幅は、基本形のインサートの辺の長さの１／３〜１／５程度が適当である。【００１９】
この発明の切削インサートには、切屑を処理するブレーカ溝を切れ刃に沿って上下面に備えさせることができる。そのブレーカ溝と前記凹部を併用するものは、ブレーカ溝を前記凹部の一部として利用することができる。
【発明の効果】
【００２０】
この発明の切削インサートは、副切れ刃につながる側が副切れ刃と同じ方向に彎曲したコーナ切れ刃を副切れ刃の両側に設け、そのコーナ切れ刃を介して副切れ刃を主切れ刃につながらせたので、副切れ刃と主切れ刃との間に目立った段差ができない。そのために、カッタボディに対する取付けが正常に行なわれているときは勿論、取付け誤差が生じたときにも、加工面のつなぎ目が大きくならない。【００２１】
カッタボディに正常に取付けられているときには、理想に近い加工面が得られる。また、フェース角が＋側、或いは、−側に多少振れて取付けられたときにも、加工面のつなぎ目はさほど大きくならない。送りマークの断面形状が極端にいびつになることもなく、良好な面粗さが維持される。
【図面の簡単な説明】
【００２２】
【図１】この発明の切削インサートの第１形態を示す斜視図
【図２】図１の切削インサートの平面図
【図３】図１の切削インサートの側面図
【図４】図１の切削インサートの断面図
【図５】図２の丸枠部の拡大平面図
【図６】副切れ刃とコーナ切れ刃を図５の矢印方向に見た図
【図７】この発明の切削インサートの第２形態を示す斜視図
【図８】図７の切削インサートの平面図
【図９】図７の切削インサートの側面図
【図１０】この発明の切削インサートを使用したフライスカッタの一例を示す斜視図
【図１１】図１０のフライスカッタの切削インサート装着部を回転方向前方から見た図
【図１２】（ａ）：この発明の切削インサートが正常に取付けられたときの加工面の状態を誇張して示す断面図、（ｂ）：この発明の切削インサートが、フェース角が−側に振れて取付けられたときの加工面の状態を誇張して示す断面図
【図１３】（ａ）：特許文献１の切削インサートが正常に取付けられたときの加工面の状態を誇張して示す断面図、（ｂ）：特許文献１の切削インサートが、フェース角が−側に振れて取付けられたときの加工面の状態を誇張して示す断面図
【図１４】（ａ）：特許文献２の切削インサートが正常に取付けられたときの加工面の状態を誇張して示す断面図、（ｂ）：特許文献２の切削インサートが、フェース角が−側に振れて取付けられたときの加工面の状態を誇張して示す断面図
【図１５】フェース角の振れの方向の説明図
【発明を実施するための形態】
【００２３】
以下、添付図面の図１〜図９に基づいて、この発明の切削インサートの実施の形態を説明する。図１〜図６は、この発明の切削インサートの第１形態（ブレーカ溝無し）を、図７〜図９は、第２形態（ブレーカ溝付き）を各々示している。
【００２４】
両形態とも、四角形を基本形とし、その基本形の４つのコーナを除去して最終的に平面視で八角形をなす形状にしたものを例示したが、この発明は、三角形、五角形、六角形といった図とは角数の異なる切削インサートにも適用できる。
【００２５】
第１形態、第２形態は、いずれも、上面２と下面３の外周の４辺のエッジ（側面４と交差した位置の稜線）を主切れ刃５、隣り合う主切れ刃間のコーナのエッジを副切れ刃（サラエ刃）６として使用するものになっている。
【００２６】
なお、下面３側は上面２側と同一構成であるので、ここでの説明は上面側の構成のみについて行う。
【００２７】
図１〜図６に示した第１形態の切削インサート１は、副切れ刃６の位置を最も高くし、主切れ刃５を副切れ刃６から遠く離れるに従って位置が下がる方向に傾斜させている。また、副切れ刃６の両側に、コーナ切れ刃７，８を設けている。
【００２８】
副切れ刃６は、逃げ面（図のそれは基本形状のインサートのコーナ部の側面４）と直交する方向（図５の矢印方向）から見た状態で凸形に彎曲した刃にしてある（図６参照）。この副切れ刃６は、曲率の一定した円弧刃を示したが、両端に向って曲率が次第に小さくなる曲線の刃も考えられる。
【００２９】
コーナ切れ刃７，８は、副切れ刃６につながる側を副切れ刃６と同じ方向に彎曲した刃にし、主切れ刃５につながる側は、直線又は直線に近い形状の刃にしている。
【００３０】
例示の切削インサート１は、図６に示すように、副切れ刃６を半径Ｒの円弧の稜線で、コーナ切れ刃７，８の副切れ刃６につながる側を半径Ｒ１（これはＲよりも大きくしているがＲと等しくてもよい）の円弧の稜線で各々形成している。コーナ切れ刃７，８の主切れ刃５につながる側は傾斜した直線の稜線で形成したが、この部分は、直線に近似した半径Ｒ１の稜線よりも曲率の小さい曲線を用いてもよい。
【００３１】
なお、副切れ刃６の一端側はコーナ切れ刃７を介して主切れ刃５に直接つながっている。また、副切れ刃６の他端側は、コーナ切れ刃８と、主切れ刃５の終端との間に残された着座面と平行な稜線９とを介して隣接した位置の主切れ刃５につながっている。稜線９は、必須ではなく、その稜線９のないものは、副切れ刃６がコーナ切れ刃８を介して隣接した位置の主切れ刃５に直接つながる。
【００３２】
図中１０は、厚み方向に貫通させて中心に設けた取り付け孔、１１は、主切れ刃５よりも低い位置に設けた平面の着座面、１２は主、副の各切れ刃と着座面１１との間に設けた斜面のすくい面である。
【００３３】
上面２の中央部には、凹部１３をさらに設けている。その凹部１３は、着座面１１のインサートコーナ間中央部（基本形のインサートのコーナ間の中央部）に着座面１１を横断する状態にして設けている。
【００３４】
その凹部１３の設置によって、着座面１１が４つに分断され、インサートコーナ間中央部の着座面がなくなっている。粉末冶金法で製造される切削インサート、中でも、各部の厚みが均一でない切削インサートは、原料粉末のプレス成形時に各部の成形圧に差が生じやすい上に成形後に行う焼結での収縮も各部においてばらつき易いことから、基本形のインサートのコーナ間中央付近において着座面が上に膨らむように変形する傾向がある。
【００３５】
その膨らみができると着座面の平坦度が悪化し、支持座との接触が不安定になってカッタボディに対する切削インサート１の取付け位置、取付け姿勢に狂い（誤差）が生じる。このことも加工面の面粗さを低下させる要因となるが、凹部１３を設けることでその不具合も解消される。従って、凹部１３を併設した例示の切削インサートによれば、加工面の面粗さがより一層改善される。
【００３６】
凹部１３の深さｄは、０．２ｍｍ〜１．５ｍｍ程度が好ましい。その深さｄが０．２ｍｍ未満では、深さが不足して着座面のインサートコーナ間中央部の盛り上がりの抑制が不十分になることが懸念される。また、その深さｄが１．５ｍｍを超えても着座安定性の更なる向上は望めず、切削インサート全体の強度を低下させるだけである。
【００３７】
凹部１３の主切れ刃５に沿う方向の幅Ｗは、基本形のインサートの辺の長さの１／３〜１／５の範囲が適当であった。
【００３８】
図７〜図９に示した第２形態の切削インサート１も、基本構成は第１形態と同じである。この第２形態は、主切れ刃５に沿って上面２にブレーカ溝１４を設けており、この部分が第１形態と異なる。
【００３９】
ブレーカ溝１４は、主切れ刃５側のすくい面１２と凹部１３との間に設けており、このブレーカ溝１４が凹部１３の一部として兼用されている。
【００４０】
図７、図８の１５は、切削に関与する切れ刃の位置を確認する識別マークである。この識別マーク１５があると、切れ刃のローテーション（使用済みの刃と未使用刃の入れ替え）を正確に行えるが、識別マーク１５は好ましい要素に過ぎない。
【００４１】
なお、第１形態の切削インサート１は、着座面１１を構成する平面が支持座２２の輪郭よりも外側まで広がっているが、支持座２２と接触する領域よりも外側にある平面は着座面とは考えない。
【００４２】
このように構成した第１形態の切削インサートは、副切れ刃と同じ方向に彎曲したコーナ切れ刃７，８を副切れ刃６の両側に設けたので、副切れ刃６と主切れ刃５との間に目立った段差ができない。そのために、加工面のつなぎ目が大きくならず、良好な面粗さが得られる。
【００４３】
カッタボディに対する取付けが正常に行なわれているときには、図１２（ａ）に示すように、波の高さｈが低くてなおかつ波の頂点が尖った理想的な送りマークができて加工面が良好な面粗さを持つものに仕上げられる。
【００４４】
また、図１２（ｂ）に示すように、フェース角Ｆ．Ａが−側（或いは＋側）に振れて取付けられたときにも、加工面のつなぎ目はさほど大きくならず、送りマークの断面形状も大して崩れていない良好な仕上げ面が得られる。
【００４５】
凹部１３を設置したことによって、カッタボディの支持座に対する着座安定性も高まっており、それにより取付け精度の誤差が小さくなるため加工面の更なる粗さ改善も期待できる。
【００４６】
例示の切削インサートを使用したフライスカッタの一例を図１０、図１１に示す。図示のフライスカッタ２０は、カッタボディ２１の外周に座溝２３と切屑ポケット２４を、回転方向に所定の間隔をあけて複数設けている。
【００４７】
そして、各座溝２３に切削インサート（図のそれは第２形態）１を挿入し、その切削インサート１を取付けねじ２５で支持座２２上に固定している。
【００４８】
支持座２２は、カッタボディ２１にシム板２６（図１０参照）を装着し、そのシム板２６に形成しているが、カッタボディ２１に直接加工されていても構わない。
【００４９】
なお、既知のフライス加工用切削インサートの中に、縦型インサートと称されるものがある。この発明は、側面をすくい面、側面と上面（又は下面）の交差稜を主切れ刃、隣り合う側面間に形成される稜線を副切れ刃として使用するその縦型インサートにも適用できる。
【符号の説明】
【００５０】
１          切削インサート
２          上面
３          下面
４          側面
５          主切れ刃
６          副切れ刃
７，８      コーナ切れ刃
９          切削に関与しない稜線
１０        取付け孔
１１        着座面
１２        すくい面
１３        凹部
１４        ブレーカ溝
１５        識別マーク
２０        フライスカッタ
２１        カッタボディ
２２        支持座
２３        座溝
２４        切屑ポケット
２５        取付けねじ
２６        シム板
ｈ          波の高さ
【図１】
0006010845.tif 000002
【図２】
0006010845.tif 000003
【図３】
0006010845.tif 000004
【図４】
0006010845.tif 000005
【図５】
0006010845.tif 000006
【図６】
0006010845.tif 000007
【図７】
0006010845.tif 000008
【図８】
0006010845.tif 000009
【図９】
0006010845.tif 000010
【図１０】
0006010845.tif 000011
【図１１】
0006010845.tif 000012
【図１２】
0006010845.tif 000013
【図１３】
0006010845.tif 000014
【図１４】
0006010845.tif 000015
【図１５】
0006010845.tif 000016